(57)【要約】【課題】測定システムにおけるエラーを確実に使用者に報知し、信頼性の低下を抑制することができる測定システムの提供。【解決手段】測定システム１は、測定対象Ｗを測定し測定値を取得する測定機器２と、測定値を含む測定機器２の情報を取得し処理する外部機器３と、測定機器２と外部機器３とを接続する接続手段４と、を備える。外部機器３は、情報に基づきエラーの有無を検出するエラー検出手段３２と、エラーが検出された際、エラーをエラー情報として測定機器２に送信するエラー情報送信手段３３と、を備える。測定機器２は、取得した測定値を出力する測定値出力手段６と、測定値出力手段６による測定値の出力をエラー情報に基づき停止させる出力停止手段８１と、を備える。【選択図】図２
2020204999.tif 000002
【特許請求の範囲】
【請求項１】
測定対象を測定し測定値を取得する測定機器と、前記測定値を含む前記測定機器の情報を取得し処理する外部機器と、前記測定機器と前記外部機器とを接続する接続手段と、を備える測定システムであって、
前記外部機器は、前記情報に基づきエラーの有無を検出するエラー検出手段と、
前記エラーが検出された際、前記エラーをエラー情報として前記測定機器に送信するエラー情報送信手段と、を備え、
前記測定機器は、取得した前記測定値を出力する測定値出力手段と、
前記エラー情報を受け付けるエラー情報受付手段と、
前記測定値出力手段による前記測定値の出力を前記エラー情報に基づき停止させる出力停止手段と、を備えることを特徴とする測定システム。
【請求項２】
請求項１に記載された測定システムにおいて、
前記測定機器は、前記情報を表示する表示手段を備え、
前記出力停止手段は、前記表示手段への前記測定値出力手段による前記測定値の出力を前記エラー情報に基づき停止させることを特徴とする測定システム。
【請求項３】
請求項１または請求項２に記載された測定システムにおいて、
前記測定機器は、前記接続手段を介して前記情報を前記外部機器に送信する情報送信手段を備え、
前記出力停止手段は、前記情報送信手段への前記測定値出力手段による前記測定値の出力を前記エラー情報に基づき停止させることを特徴とする測定システム。
【請求項４】
請求項１から請求項３のいずれかに記載された測定システムにおいて、
前記測定機器は、前記エラー情報を報知する報知手段を備えることを特徴とする測定システム。
【請求項５】
請求項４に記載された測定システムにおいて、
前記測定機器は、前記外部機器からの前記エラー情報を表示する表示手段を備え、
前記報知手段は、前記表示手段に前記エラー情報を表示することで報知することを特徴とする測定システム。
【請求項６】
請求項１から請求項５のいずれかに記載された測定システムにおいて、
前記外部機器は、前記出力停止手段による前記測定値の出力の停止を解除し前記測定値出力手段による前記測定値の出力を再開させる解除指令を前記測定機器に送信する解除指令送信手段を備え、
前記測定機器は、前記解除指令を受け付ける解除受付手段と、
前記解除指令を受け付けた際、前記出力停止手段による前記測定値の出力の停止を解除し前記測定値出力手段による前記測定値の出力を再開させる出力再開手段と、を備えることを特徴とする測定システム。
【請求項７】
請求項１から請求項６のいずれかに記載された測定システムにおける外部機器に用いられるプログラムであって、
前記情報に基づきエラーの有無を検出するエラー検出ステップと、
前記エラーが検出された際、前記エラーをエラー情報として前記測定機器に送信するエラー情報送信ステップと、を備えることを特徴とする外部機器に用いられるプログラム。
【発明の詳細な説明】
【技術分野】
【０００１】
本発明は、測定システムに関する。
【背景技術】
【０００２】
従来、測定対象を測定し測定値を取得する測定機器と、測定値を含む測定機器の情報を取得し処理する外部機器と、測定機器と外部機器とを接続する接続手段と、を備える測定システムが知られている。測定機器は、例えばノギスやインジケータ、リニアスケール、マイクロメータ等である。
【０００３】
このような測定システムでは、測定機器が測定した測定値を外部機器にて処理するため、測定値を含む測定機器からの情報が確実に測定機器から外部機器に送信されることを要する。例えば、特許文献１の測定処理システム（測定システム）では、情報が正常に送信されたか否かの判定を自動化している。具体的には、測定処理システムは、変位測定装置（測定機器）と、これとは離れた位置にあるデータ処理装置（外部機器）により構成されている。変位測定装置は、送受信回路を備え、データ処理装置は、変位測定装置の送受信回路に対応する送受信回路を備え、双方向通信をしている。
【０００４】
変位測定装置は、測定対象を測定する測長センサと、測長センサから測定データを得る測定回路と、測定データを表示する表示装置と、測定データを記憶するデータ記憶装置と、データ処理装置からの信号に基づき測定データをデータ処理装置に再送信するか否かを判定する再送信判定回路と、を備える。
データ処理装置は、送受信回路を介して変位測定装置から受信した測定データに誤りがあるか否かを検出する誤り検出回路と、測定データを正常に受信したことを変位測定装置に通知するための伝送確認信号と測定データに誤りがあった場合に測定データの再送信を要求する再送信要求信号との２種類の信号を生成する伝送確認信号生成回路と、を備える。
【０００５】
変位測定装置の再送信判定回路は、データ処理装置から伝送確認信号を受信した場合、測定データが正常に送信されたと判定し測定データの再送信は実行しない。変位測定装置の再送信判定回路は、データ処理装置から再送信要求信号を受信した場合、データ記憶装置に記憶された測定データをデータ処理装置に再送信する。変位測定装置の再送信判定回路は、データ処理装置から伝送確認信号を受信できない場合や、所定の回数測定データを再送信したにもかかわらず、伝送確認信号を受信せず再送信要求信号を受信した場合、異常（エラー）があるとして、変位測定装置の表示装置にその異常に関する警告を表示する。
したがって、測定処理システムは、自動的に測定データの誤り等の検出を行い、必要に応じて測定データの再送信や警告の表示をするため、測定効率を向上させるとともに、データ伝送処理の信頼性を向上させることができる。
【先行技術文献】
【特許文献】
【０００６】
【特許文献１】特開平７−２１４８６号公報
【発明の概要】
【発明が解決しようとする課題】
【０００７】
しかしながら、このような測定処理システム（測定システム）では、変位測定装置（測定機器）の表示装置に警告が表示されていたとしても、使用者は、測定機器を継続使用することができる。この際、異常（エラー）がある測定システムや測定機器などを継続使用すると、測定対象の測定に誤差が生じたり、測定機器や外部機器などが破損することがある。したがって、測定システムの信頼性が低下するおそれがあるという問題がある。
【０００８】
本発明の目的は、測定システムにおけるエラーを確実に使用者に報知し、信頼性の低下を抑制することができる測定システムを提供することである。
【課題を解決するための手段】
【０００９】
本発明の測定システムは、測定対象を測定し測定値を取得する測定機器と、測定値を含む測定機器の情報を取得し処理する外部機器と、測定機器と外部機器とを接続する接続手段と、を備える。外部機器は、測定機器の情報に基づきエラーの有無を検出するエラー検出手段と、エラーが検出された際、エラーをエラー情報として測定機器に送信するエラー情報送信手段と、を備える。測定機器は、取得した測定値を出力する測定値出力手段と、エラー情報を受け付けるエラー情報受付手段と、測定値出力手段による測定値の出力をエラー情報に基づき停止させる出力停止手段と、を備えることを特徴とする。
【００１０】
このような本発明によれば、測定機器は、外部機器にて検出されたエラー情報に基づき測定値出力手段による測定値の出力を停止させる出力停止手段を備える。これにより、測定システムは、エラーがある場合、測定機器による測定値の出力を停止し測定を継続できないようにすることから、使用者に測定機器を継続使用させることなく、エラーを報知することができる。したがって、測定システムは、エラーを確実に使用者に報知し、信頼性の低下を抑制することができる。
【００１１】
この際、測定機器は、測定機器の情報を表示する表示手段を備える。出力停止手段は、表示手段への測定値出力手段による測定値の出力をエラー情報に基づき停止させることが好ましい。
【００１２】
このような構成によれば、出力停止手段は、表示手段への測定値出力手段による測定値の出力をエラー情報に基づき停止させるため、使用者による測定機器の継続使用を容易に防止することができる。
【００１３】
この際、測定機器は、接続手段を介して測定機器の情報を外部機器に送信する情報送信手段を備える。出力停止手段は、情報送信手段への測定値出力手段による測定値の出力をエラー情報に基づき停止させることが好ましい。
【００１４】
このような構成によれば、出力停止手段は、情報送信手段への測定値出力手段による測定値の出力をエラー情報に基づき停止させるため、外部機器を用いた使用者による測定機器の継続使用を容易に防止することができる。
【００１５】
この際、測定機器は、エラー情報を報知する報知手段を備えることが好ましい。
【００１６】
このような構成によれば、測定機器は、エラー情報を報知する報知手段を備えることで、測定機器による測定の停止と併せてエラーがあることを使用者に報知することができる。したがって、測定システムは、エラーがあることを確実に使用者に報知することができる。
【００１７】
この際、測定機器は、外部機器からのエラー情報を表示する表示手段を備える。報知手段は、表示手段にエラー情報を表示することで報知することが好ましい。
【００１８】
このような構成によれば、報知手段は、表示手段にエラー情報を表示することで報知するため、エラーがあることを使用者に視覚的に報知することができる。したがって、測定システムは、エラーがあることを確実に使用者に報知することができる。
【００１９】
この際、外部機器は、出力停止手段による測定値の出力の停止を解除し測定値出力手段による測定値の出力を再開させる解除指令を測定機器に送信する解除指令送信手段を備える。測定機器は、解除指令を受け付ける解除受付手段と、解除指令を受け付けた際、出力停止手段による測定値の出力の停止を解除し測定値出力手段による測定値の出力を再開させる出力再開手段と、を備えることが好ましい。
【００２０】
ここで、測定機器側に出力停止手段による測定値の出力の停止を解除し測定値出力手段による測定値の出力を再開させる手段が設けられている場合、例えば測定システムに重大なエラーがあったとしても、使用者は安易に測定機器を操作して測定値の出力の停止を解除し測定値の出力を再開させて測定を継続することができるため、測定の継続により測定システムの信頼性が低下するおそれがある。
しかしながら、このような構成によれば、出力停止手段による測定値の出力の停止を解除し測定値出力手段による測定値の出力を再開させる解除指令を測定機器に送信する解除指令送信手段は外部機器側のみに設けられているため、使用者は安易に測定機器を操作して測定値の出力の停止を解除し測定値の出力を再開させることができなくなる。したがって、測定システムは、信頼性の低下を抑制することができる。
【００２１】
前述の測定システムにおける外部機器に用いられるプログラムは、情報に基づきエラーの有無を検出するエラー検出ステップと、エラーが検出された際、エラーをエラー情報として測定機器に送信するエラー情報送信ステップと、を備えることを特徴とする。
【００２２】
このような本発明によれば、情報に基づきエラーの有無を検出するエラー検出ステップと、エラーが検出された際、エラーをエラー情報として測定機器に送信するエラー情報送信ステップと、を備えるため、出力停止手段は、外部機器にて検出されたエラー情報に基づき測定を停止させることができる。したがって、測定システムは、エラーがある場合、使用者に測定を継続させることなく、エラーを確実に使用者に報知し、信頼性の向上を図ることができる。
【図面の簡単な説明】
【００２３】
【図１】本発明の一実施形態に係る測定システムを示す概略図
【図２】前記測定システムを示すブロック図
【図３】前記測定システムにおける外部機器に用いられるプログラムを示すフローチャート
【図４】前記測定システムにおける測定機器の表示手段の表示を示す図
【図５】前記測定システムにおける測定機器の測定を再開させる方法を示すフローチャート
【発明を実施するための形態】
【００２４】
以下、本発明の一実施形態を図面に基づいて説明する。
図１は、本発明の一実施形態に係る測定システム１を示す概略図である。
測定システム１は、図１に示すように、測定対象Ｗを測定し測定値を取得する測定機器２と、測定値を含む測定機器２の情報を取得し処理する外部機器３と、測定機器２と外部機器３と接続する接続手段４と、を備える。
測定機器２は、例えばノギスである。測定機器２は、長尺状の本尺２１と、本尺２１の長手方向に沿って摺動自在に設けられたスライダ２２と、を備えている。
【００２５】
本尺２１は、略Ｔ字状に形成され、矩形板状の本尺基礎２３と、本尺基礎２３から突出し被測定物に当接させて測定する測定手段２０である測定ジョウ２４Ａ，２４Ｂと、を備えている。
測定ジョウ２４Ａ，２４Ｂは、本尺基礎２３の長手方向の一端側に形成された外側測定ジョウ２４Ａと、外側測定ジョウ２４Ａの反対側に形成された内側測定ジョウ２４Ｂと、で構成されている。
【００２６】
スライダ２２は、スライダ２２から突出し被測定物に当接させて測定する測定手段２０である測定ジョウ２４Ａ，２４Ｂと対になる測定ジョウ２５Ａ，２５Ｂと、深度測定に用いる測定手段２０であるデプスバー２６と、測定機器２の正面に設けられた表示手段５と、本尺基礎２３との間に設けられスライダ２２の摺動力を調節する板バネ（図示略）と、を備えている。
測定ジョウ２５Ａ，２５Ｂは、スライダ２２の長手方向の一端側に形成され外側測定ジョウ２４Ａと対になる外側測定ジョウ２５Ａと、外側測定ジョウ２５Ａの反対側に形成され内側測定ジョウ２４Ｂと対になる内側測定ジョウ２５Ｂと、で構成されている。
【００２７】
デプスバー２６は、スライダ２２の他端側に設けられる。
表示手段５は、測定値を含む測定機器の情報を表示する。具体的には、表示手段は、外側測定ジョウ２４Ａ，２５Ａまたは内側測定ジョウ２４Ｂ，２５Ｂで被測定物を挟持することで算出された測定結果やデプスバー２６による深度測定の結果等を表示する。表示手段５は、例えばフレキシブルディスプレイとしてのプラスチック液晶ディスプレイを用いることによって情報を表示する。なお、表示手段５は、プラスチック液晶ディスプレイでなくてもよく、測定値を含む測定機器の情報を表示することができれば、どのようなものであってもよい。
【００２８】
図１では、測定機器２は、外側測定ジョウ２４Ａ，２５Ａにて測定対象Ｗを挟持し、測定対象Ｗの測定をしている。表示手段５には、測定対象Ｗを測定した結果である測定値が表示される。なお、表示手段５には、測定値だけでなく、測定機器２に用いられる電池の残量や、測定機器２の校正時期や製造年月日など、測定機器２に関する情報を表示することが可能である。
板バネは、本尺基礎２３とスライダ２２との摩擦力を調節し、本尺２１とスライダ２２との摺動力を調節する。
また、測定手段２０である外側測定ジョウ２４Ａ，２５Ａや内側測定ジョウ２４Ｂ，２５Ｂ、デプスバー２６により測定された測定対象Ｗの測定結果である測定値は、接続手段４を介して外部機器３に出力される。
【００２９】
外部機器３は、測定値を含む測定機器２から情報を取得し、例えば最大値や最小値等のピーク測定や、測定結果を用いた四則演算、公差判定などを実行し、測定機器２からの情報を処理する。また、測定機器２から製造年月日などを取得し、校正時期やエラー情報を使用者に通知することができる。外部機器３は、例えばパーソナルコンピュータである。なお、外部機器３はパーソナルコンピュータではなく、外部機器３として機能することができればどのようなものであってもよい。
接続手段４は、例えば有線にて測定機器２と外部機器３とを接続している。なお、接続手段４は、無線にて測定機器２と外部機器３とを接続し、ネットワークを介して通信ができるように接続してもよい。
【００３０】
図２は、測定システム１を示すブロック図である。
図２に示すように、測定機器２は、測定値出力手段６と、情報送信手段７と、エラー情報受付手段８０と、出力停止手段８１、報知手段９と、解除受付手段１０と、出力再開手段１１と、をさらに備える。
外部機器３は、情報取得手段３１と、エラー検出手段３２と、エラー情報送信手段３３と、解除指令送信手段３４と、解除指令送信手段３４に指令を入力する解除指令入力手段１２と、を備える。
【００３１】
測定機器２の測定値出力手段６は、取得した測定値を出力する。具体的には、測定値出力手段６は、測定手段２０により測定された測定対象Ｗ（図１参照）の測定結果である測定値を表示手段５と情報送信手段７とに出力する。
測定機器２の情報送信手段７は、接続手段４を介して測定機器２の情報を外部機器３に送信する。具体的には、情報送信手段７は、接続手段４を介して測定手段２０により測定された測定対象Ｗの測定結果である測定値を外部機器３に送信する。
【００３２】
外部機器３の情報取得手段３１は、測定機器２の情報送信手段７からの測定値を取得する。なお、情報送信手段７は、測定機器２の製造年月日や校正時期など、測定機器２に関する情報であれば、測定値だけではなく、他の情報を外部機器３に送信してもよい。また、情報取得手段３１は、情報送信手段７から送信された情報を取得できればよく、測定値だけでなく、他の情報を取得してもよい。
【００３３】
外部機器３のエラー検出手段３２は、情報取得手段３１にて取得した測定機器の情報である測定値に基づきエラーの有無を検出する。エラー検出手段３２によりエラーが検出された際、エラー情報送信手段３３は、エラーをエラー情報として測定機器２に送信する。なお、エラー検出手段３２は、測定値ではなく、製造年月日や校正時期など、他の情報に基づいてエラーの有無を検出してもよい。
測定機器２のエラー情報受付手段８０は、接続手段４を介して、外部機器３のエラー情報送信手段３３から送信されたエラー情報を受け付ける。測定機器２の出力停止手段８１は、測定値出力手段６による測定値の出力をエラー情報受付手段８０にて受け付けたエラー情報に基づき停止させる。
【００３４】
出力停止手段８１は、表示手段５への測定値出力手段６による測定値の出力をエラー情報に基づき停止させる。また、出力停止手段８１は、情報送信手段７への測定値出力手段６による測定値の出力をエラー情報に基づき停止させる。この際、測定機器２による測定値の出力が停止されたことについて使用者が認識できればよいため、測定機器２は、測定を継続し新たな測定値の取得をしていてもよい。すなわち、測定機器２による測定を物理的に停止することを要さず、出力停止手段８１は、使用者が表示手段５や外部機器３を介して測定結果である測定値を読み取れないようにすることで、使用者が測定機器２を用いて測定を継続することができないようにしている。
報知手段９は、エラー情報を報知するために、表示手段５にエラー情報を表示する。なお、報知手段９は、エラー情報を報知することができればよいため、例えばＬＥＤやブザー、使用者の所有する携帯端末へのエラー情報の通信による送信などであってもよい。
【００３５】
図３は、測定システム１における外部機器３に用いられるプログラムを示すフローチャートである。
以下、図２と図３を用いて、測定機器２による測定の停止方法について説明する。
先ず、図３に示すように、外部機器３の情報取得手段３１は、測定機器２の情報送信手段７から送信された測定値を取得する情報取得ステップを実行する（ステップＳＴ０１）。次に、外部機器３のエラー検出手段３２は、情報取得ステップにて取得した情報である測定値に基づき測定機器２のエラーの有無を検出するエラー検出ステップを実行する（ステップＳＴ０２）。具体的には、エラー検出手段３２は、測定機器２からの測定値を蓄積し保存する図示しない記憶手段と、記憶手段に記憶された測定値と情報送信手段７から取得した測定値とに対して所定の演算をする図示しない演算手段とを備え、演算手段による演算結果から所定の値を基準としてエラーの有無を検出する。そして、エラー検出手段３２は、演算手段による演算結果が所定の値に達したとき、測定機器２のエラーを検出する。
【００３６】
エラー検出手段３２がエラーを検出したとき（ステップＳＴ０３でＹＥＳ）、外部機器３のエラー情報送信手段３３は、接続手段４を介して、エラーをエラー情報として測定機器２のエラー情報受付手段８０に送信するエラー情報送信ステップを実行する（ステップＳＴ０４）。エラー検出手段３２がエラーを検出しないとき（ステップＳＴ０３でＮＯ）、エラー検出手段３２はエラーが検出されるまで情報取得ステップ（ステップＳＴ０１）とエラー検出ステップ（ステップＳＴ０２，ＳＴ０３）を実行する。
【００３７】
図４は、測定システム１における測定機器２の表示手段５の表示を示す図である。具体的には、図４（Ａ）は、測定値出力手段６による測定値の出力が停止される前の表示手段５の表示を示す図であり、図４（Ｂ）は、出力停止手段８１により測定値出力手段６による測定値の出力が停止された後の表示手段５の表示を示す図である。
図４（Ａ）に示すように、測定値出力手段６による測定値の出力が停止される前は、表示手段５には測定対象Ｗ（図１参照）を測定した測定結果である測定値Ｗ２が表示されている。このため、使用者は、表示手段５を目視することで、測定対象Ｗの測定をすることができる。また、この際、測定値出力手段６は、測定値を情報送信手段７に出力し、情報送信手段７は、測定値を外部機器３に送信しているため、外部機器３が有する例えばディスプレイ等の表示手段にも測定値Ｗ２が表示されている。
【００３８】
しかし、図４（Ｂ）に示すように、測定機器２の出力停止手段８１により測定値出力手段６による測定値の出力が停止されると、表示されるべき測定値が出力されないため、測定値Ｗ２は、測定機器２の表示手段５と外部機器３の表示手段には表示されない。そして、測定機器２の表示手段５には、測定値Ｗ２の代わりにエラー情報としてエラー表示Ｃが表示され報知される。このため、使用者は、測定機器２の表示手段５や外部機器３の表示手段に測定値Ｗ２が表示されないため、測定を継続することができず、また、表示手段５にはエラー表示Ｃが表示され報知されるため、測定システム１は、使用者に対し確実にエラーを報知することができる。
【００３９】
測定機器２の出力停止手段８１により測定が停止された後、使用者は、図２に示すように、外部機器３が備える解除指令入力手段１２を操作することで、出力停止手段８１による測定値の出力の停止を解除し測定値出力手段６による測定値の出力を再開させ、測定を再開することができる。解除指令入力手段１２は、例えば、外部機器３に設けられた所定のボタンやキーボード、マウス等である。なお、解除指令入力手段１２は、測定を再開させるための解除指令を入力できるものであれば、どのようなものであってもよい。
【００４０】
測定機器２側に出力停止手段８１による測定値の出力の停止を解除し測定値出力手段６による測定値の出力を再開させる手段が設けられている場合、測定システム１に例えば重大なエラーがあったとしても、使用者は安易に測定機器を操作して測定値の出力の停止を解除し測定値の出力を再開させて測定を継続することができるため、測定を再開させるための手段は外部機器３側のみに設けられている。
具体的には、図２に示すように、外部機器３の解除指令送信手段３４は、解除指令入力手段１２より入力された出力停止手段８１による測定値の出力の停止を解除し測定値出力手段６による測定値の出力を再開させる解除指令を測定機器２に送信する。測定機器２の解除受付手段１０は解除指令を受け付け、出力再開手段１１は、解除指令を受け付けた際、出力停止手段８１による測定値の出力の停止を解除し測定値出力手段６による測定値の出力を再開させる。
【００４１】
図５は、測定システム１における測定機器２の測定を再開させる方法を示すフローチャートである。以下、図５を用いて、測定機器２の測定を再開させる方法を説明する。
図５に示すように、先ず、外部機器３は、解除指令入力手段１２より解除指令が入力されたか否かを判定する入力判定ステップを実行する（ステップＳＴ１１）。解除指令が入力されたとき（ステップＳＴ１２でＹＥＳ）、解除指令送信手段３４は、接続手段４を介して解除指令を測定機器２の解除受付手段１０に送信する解除指令送信ステップを実行する（ステップＳＴ１３）。解除指令が入力されていないとき（ステップＳＴ１２でＮＯ）、解除指令が入力されるまで入力判定ステップを実行する（ステップＳＴ１１）。
解除指令送信手段３４より解除指令を受け付けた測定機器２の解除受付手段１０は、出力再開手段１１に出力停止手段８１による測定値の出力の停止を解除し測定値出力手段６による測定値の出力を再開させる測定再開ステップを実行する（ステップＳＴ１４）。これにより、再び表示手段５に測定値Ｗ２（図４参照）が表示され、情報送信手段７による測定値の外部機器３への送信も再開される。したがって、使用者は、出力停止手段８１により停止された測定を再開することができる。
【００４２】
このような本実施形態によれば、以下の作用・効果を奏することができる。
（１）測定機器２は、外部機器３にて検出されたエラー情報に基づき測定値出力手段６による測定値の出力を停止させる出力停止手段８１を備える。これにより、測定システム１は、エラーがある場合、測定機器２による測定値の出力を停止し測定を継続できないようにすることから、使用者に測定機器２を継続使用させることなく、エラーを報知することができる。したがって、測定システム１は、エラーを確実に使用者に報知し、信頼性の低下を抑制することができる。
（２）出力停止手段８１は、表示手段５への測定値出力手段６による測定値の出力をエラー情報に基づき停止させ、情報送信手段７への測定値出力手段６による測定値の出力をエラー情報に基づき停止させるため、使用者による測定機器２の継続使用を容易に防止することができる。
【００４３】
（３）測定機器２は、エラー情報を報知する報知手段９を備えることで、測定機器２による測定の停止と併せてエラーがあることを使用者に報知することができる。したがって、測定システム１は、エラーがあることを確実に使用者に報知することができる。
（４）報知手段９は、表示手段５にエラー情報を表示することで報知するため、エラーがあることを使用者に視覚的に報知することができる。したがって、測定システム１は、エラーがあることを確実に使用者に報知することができる。
【００４４】
（５）出力停止手段８１による測定値の出力の停止を解除し測定値出力手段６による測定値の出力を再開させる解除指令を測定機器２に送信する解除指令送信手段３４は外部機器３側のみに設けられているため、使用者は安易に測定機器を操作して測定値の出力の停止を解除し測定値の出力を再開させることができなくなる。したがって、測定システム１は、信頼性の低下を抑制することができる。
（６）情報に基づき測定機器２のエラーの有無を検出するエラー検出ステップと、エラーが検出された際、エラーをエラー情報として測定機器２に送信するエラー情報送信ステップと、を備えるため、出力停止手段８１は、外部機器３にて検出されたエラー情報に基づき測定を停止させることができる。したがって、測定システム１は、エラーがある場合、使用者に測定を継続させることなく、エラーを確実に使用者に報知し、信頼性の向上を図ることができる。
【００４５】
〔実施形態の変形〕
なお、本発明は、前記実施形態に限定されるものではなく、本発明の目的を達成できる範囲での変形、改良等は本発明に含まれるものである。
例えば、前記実施形態では、測定機器２はノギスであったが、マイクロメータやダイヤルゲージ、テストインジケータ等であってもよい。また、測定機器２は、形式や方式などについて特に限定されるものではない。
【００４６】
前記実施形態では、報知手段９は表示手段５にエラー表示Ｃを表示させていたが、報知手段は、スピーカー（ブザー）やライト（ＬＥＤ等の発光器）、バイブレータ、通信によるメール配信等を報知手段としエラー情報を報知してもよい。この際、報知手段は、スピーカーを用いて音声にて報知したり、ブザーを用いて音にて報知したり、ＬＥＤの点滅または点灯にて報知したり、バイブレータによる振動にて報知したりしてもよい。また、測定システムは、報知手段を備えていなくてもよい。
【００４７】
前記実施形態では、エラー検出手段３２は、測定機器２からの測定値を蓄積し保存する図示しない記憶手段と、記憶手段に記憶された測定値と情報送信手段７から取得した測定値とに対して所定の演算をする図示しない演算手段とを備え、演算手段による演算結果から所定の値を基準としてエラーの有無を検出していたが、エラー検出手段は、他の方法でエラーを検出してもよい。例えば、測定機器の情報送信手段から測定機器の校正時期を取得し、校正時期が迫っているか否かを検出し、校正時期が近い場合は、エラーを検出することとしてもよい。
【００４８】
また、例えば、測定対象Ｗ（図１参照）として、所定の加工機にて加工された加工物を順次測定する測定システムであった場合、外部機器は、測定した加工物の測定値などの測定結果と測定結果を分析するための分析情報とを記憶する記憶手段と、記憶手段に記憶された測定結果を演算し、分析情報と比較するなどして傾向などを分析する分析手段と、分析手段による分析結果に基づいて、分析結果が所定の範囲内にあるか否かを判定する分析判定手段と、を備え、エラー検出手段は、分析判定手段にて分析結果が所定の範囲内にあると判定されたとき、エラーを検出してもよい。
【００４９】
なお、分析結果が所定の範囲内にあるときとは、例えば、エラーを検出する閾値が設定されている場合、その閾値に分析結果が近づき、もうすぐエラーとなることを警告するべき閾値までの範囲内に分析結果があるときのことである。また、測定結果の分析とは、例えば、測定結果の統計処理や、品質レベル、歩留まり、公差など、測定値を含む測定機器の情報に関する分析である。
要するに、エラー検出手段は、測定結果の統計処理や分析結果、演算結果など、測定機器の情報に基づきエラーの有無を検出することができればよく、検出方式などについて特に限定されるものではない。また、エラー情報送信手段は、エラーをエラー情報として測定機器に送信することができればよく、エラー情報の内容は、前述のエラー検出手段が検出したエラーであれば、どのようなものであってもよい。
【００５０】
前記実施形態では、エラー情報を確実に報知するために出力停止手段８１は測定値出力手段６による測定値の出力を停止していたが、出力停止手段は、他の目的で測定を停止してもよい。例えば測定システムをレンタルする場合、レンタル期限が経過したとき、レンタル期限の経過をエラーとして、出力停止手段にて測定を停止させてもよい。要するに、出力停止手段は、測定値出力手段による測定値の出力をエラー情報に基づき停止させることができればよい。
【００５１】
前記実施形態では、測定値出力手段６は、表示手段５と情報送信手段７とに測定値を出力していたが、測定値出力手段は、表示手段と情報送信手段とのいずれか一方だけに測定値を出力してもよく、また、他の手段に測定値を出力してもよい。要するに、測定値出力手段は、取得した測定値を出力することができればよい。
前記実施形態では、出力停止手段８１は、測定値出力手段６が表示手段５と情報送信手段７とに測定値を出力することを停止していたが、表示手段５と情報送信手段７とのいずれか一方への測定値の出力を停止してもよいし、その他の手段に対してされる測定値出力手段による測定値の出力を停止してもよい。要するに、出力停止手段は、測定値出力手段による測定値の出力をエラー情報に基づき停止させることができればよい。
【００５２】
前記実施形態では、外部機器３は、出力停止手段８１による測定値の出力の停止を解除し測定値出力手段６による測定値の出力を再開させる解除指令を測定機器２に送信する解除指令送信手段３４を備え、測定機器２は、解除指令を受け付ける解除受付手段１０と、解除指令を受け付けた際、出力停止手段８１による測定値の出力の停止を解除し測定値出力手段６による測定値の出力を再開させる出力再開手段１１と、を備えていたが、測定システムは、出力停止手段による測定値の出力の停止を解除し測定値出力手段による測定値の出力を再開させる手段を備えていなくてもよい。
前記実施形態では、測定システム１における外部機器３に用いられるプログラムは、予め外部機器３にインストールされていたが、あとから外部機器にインストールされてもよい。
【産業上の利用可能性】
【００５３】
以上のように、本発明は、測定システムに好適に利用できる。
【符号の説明】
【００５４】
１                        測定システム
２                        測定機器（ノギス）
３                        外部機器
３２                        エラー検出手段
３３                        エラー情報送信手段
４                        接続手段
５                        表示手段
６                        測定値出力手段
７                        情報送信手段
８０                        エラー情報受付手段
８１                        出力停止手段
Ｗ                        測定対象
【図１】
2020204999.tif 000003
【図２】
2020204999.tif 000004
【図３】
2020204999.tif 000005
【図４】
2020204999.tif 000006
【図５】
2020204999.tif 000007